(57)【要約】      （修正有）【課題】使用者に不満の気持ちを抱かせることなく点検時期の到来を確実に理解してもらうことができる空気調和機を提供する。【解決手段】本発明の空気調和機は、運転を開始してから標準使用期間が到来して時に点検時期であることを報知する第一の表示報知手段と、第一の使用期間以降に点検時期であることを報知する第二の表示報知手段とを備え、標準使用期間が経過した時点で第一の表示報知手段にて報知し、標準使用期間が経過してから所定時間が経過したときに、第二の表示報知手段にて報知し、標準使用期間が経過してから所定時間が経過したときに、所定周期間隔で鳴動し、標準使用期間が経過してから所定時間が経過したときに、所定周期よりも短い所定周期間隔で鳴動し、標準使用期間が経過してから所定時間が経過したときに、運転を停止する。【選択図】図２
2012242034.tif 000002
【特許請求の範囲】
【請求項１】
運転を開始してから標準使用期間が到来して時に点検時期であることを報知する第一の表示報知手段と、第一の使用期間以降に点検時期であることを報知する第二の表示報知手段とを備え、前記標準使用期間が経過した時点で第一の表示報知手段にて報知し、標準使用期間が経過してから所定時間Ｔ１が経過したときに、第二の表示報知手段にて報知し、標準使用期間が経過してから所定時間Ｔ２が経過したときに、所定周期Ｔｃ１間隔で鳴動し、標準使用期間が経過してから所定時間Ｔ３が経過したときに、所定周期Ｔｃ１よりも短い所定周期Ｔｃ２間隔で鳴動し、標準使用期間が経過してから所定時間Ｔ４が経過したときに、運転を停止することを特徴とする空気調和機。
【請求項２】
運転指示を行うリモコン装置を備え、標準使用期間が経過後は、前記リモコン装置の表示部に点検時期であることを表すメッセージを表示することを特徴とする請求項１に記載の空気調和機。
【請求項３】
運転指示を行うリモコン装置を備え、標準使用期間が経過後は、前記リモコン装置の表示部に運転が強制的に停止するまでの時間を表示することを特徴とする請求項１または２に記載の空気調和機。
【発明の詳細な説明】
【技術分野】
【０００１】
本発明は、プログラムされたマイコンによって空気調和機を制御する装置に関するもので、特に、長期使用時の制御に関するものである。
【背景技術】
【０００２】
一般に、空気調和機を含む家庭用電気機器には設計上の標準使用期間があり、その使用期間を超えて使用が継続されると、予想し得ない不具合や故障が発生する可能性がある。
【０００３】
従来、この種の空気調和機の制御装置は、システム全体の運転時間の積算値や主要な構成要素への通電時間の積算値が所定値を超えた時点で、点検の時期であることを使用者に知らせて一旦運転を停止させ、点検時期を超えての運転時間や通電時間が所定時間に到達すると、運転を強制的に停止させ、以後の運転を禁止するものがある（例えば、特許文献１参照）。
【先行技術文献】
【特許文献】
【０００４】
【特許文献１】特開平６−１８０１３８号公報
【発明の概要】
【発明が解決しようとする課題】
【０００５】
しかしながら、前記従来の構成では、点検時期到来の報知を使用者が正しく理解できずに使用を継続した場合に、結果として突然運転ができなくなってしまうことになるので、使用者に不満の気持ちを抱かせてしまうという課題を有していた。
【０００６】
本発明は、前記従来の課題を解決するもので、使用者に不満の気持ちを抱かせることなく点検時期の到来を確実に理解してもらうことができる空気調和機を提供することを目的とする。
【課題を解決するための手段】
【０００７】
前記従来の課題を解決するために、本発明の空気調和機は、運転を開始してから標準使用期間が到来して時に点検時期であることを報知する第一の表示報知手段と、第一の使用期間以降に点検時期であることを報知する第二の表示報知手段とを備え、標準使用期間が経過した時点で第一の表示報知手段にて報知し、標準使用期間が経過してから所定時間Ｔ１が経過したときに、第二の表示報知手段にて報知し、標準使用期間が経過してから所定時間Ｔ２が経過したときに、所定周期Ｔｃ１間隔で鳴動し、標準使用期間が経過してから所定時間Ｔ３が経過したときに、所定周期Ｔｃ１よりも短い所定周期Ｔｃ２間隔で鳴動し、標準使用期間が経過してから所定時間Ｔ４が経過したときに、運転を停止することにより、標準使用期間到来後、最終的に運転ができなくなるまでの間に、時間の経過と共に使用者への注意喚起度合いが増加していき、使用者に取扱説明書の確認や、メーカー修理相談窓口・購入店への問い合わせを促すこととなる。
【発明の効果】
【０００８】
本発明は、使用者に不満の気持ちを抱かせることなく点検時期の到来を確実に理解してもらうことができる空気調和機を提供することができる。
【図面の簡単な説明】
【０００９】
【図１】本発明の実施の形態１における空気調和機の制御装置の構成を示すブロック図
【図２】同実施の形態１における空気調和機の制御装置のマイコンが実行するプログラムのフローチャート
【発明を実施するための形態】
【００１０】
第１の発明の空気調和機は、運転を開始してから標準使用期間が到来して時に点検時期であることを報知する第一の表示報知手段と、第一の使用期間以降に点検時期であることを報知する第二の表示報知手段とを備え、標準使用期間が経過した時点で第一の表示報知手段にて報知し、標準使用期間が経過してから所定時間Ｔ１が経過したときに、第二の表示報知手段にて報知し、標準使用期間が経過してから所定時間Ｔ２が経過したときに、所定周期Ｔｃ１間隔で鳴動し、標準使用期間が経過してから所定時間Ｔ３が経過したときに、所定周期Ｔｃ１よりも短い所定周期Ｔｃ２間隔で鳴動し、標準使用期間が経過してから所定時間Ｔ４が経過したときに、運転を停止することにより、標準使用期間到来後、最終的に運転ができなくなるまでの間に、時間の経過と共に使用者への注意喚起度合いが増加していき、使用者に取扱説明書の確認や、メーカー修理相談窓口・購入店への問い合わせを促すこととなる。
【００１１】
第２の発明の空気調和機は、特に第１の発明において、運転指示を行うリモコン装置を備え、標準使用期間が経過後は、前記リモコン装置の表示部に点検時期であることを表すメッセージを表示することにより、使用者に取扱説明書の確認や、メーカー修理相談窓口・購入店への問い合せをしてもらうことなく点検時期の到来を確実に理解してもらうことができる。
【００１２】
第３の発明の空気調和機は、特に第１または第２の発明において、運転指示を行うリモコン装置を備え、標準使用期間が経過後は、前記リモコン装置の表示部に運転が強制的に停止するまでの時間を表示することにより、使用者に最終的に運転ができなくなるまでの時間を知らせることが可能となり、使用者に不満の気持ちを抱かせることなく点検または買い替えを強く促すことができる。
【００１３】
以下、本発明の実施の形態について、図面を参照しながら説明する。なお、この実施の形態によって本発明が限定されるものではない。
【００１４】
（実施の形態１）
図１は、本発明の実施の形態１における空気調和機の制御装置の構成を示すブロック図、図２は、本発明の実施の形態１における空気調和機の制御装置のマイコンが実行するプログラムのフローチャートである。
【００１５】
図１において、１は室内機、２は室外機、３は室内機と室外機の間を結び情報を送受信するための通信線、４はリモコン、５は室内機を制御するマイコン、６はマイコン５が実行するプログラム、７はリモコン４と双方向に信号をやり取りするための送受信部、８は電源が遮断されてもデータを保持することができる書き換え可能な不揮発性メモリ、９はタイマーの予約状態を報知するためのタイマーランプ、１０は運転の状態を報知するための運転ランプ、１１は送受信部７がリモコン４の信号を受信したことを報知するためのブザー、１２はルーバー、１３はルーバー１２を駆動するためのルーバー駆動部、１４は室内ファン、１５は室内ファン１４を駆動するための室内ファン駆動部、１６は室外機を制御するマイコン、１７はマイコン１６が実行するプログラム、１８は室外ファン、１９は室外ファン１８を駆動するための室外ファン駆動部、２０は圧縮機、２１は圧縮機２０を駆動するための圧縮機駆動部であり、使用者はリモコン４を操作することによって、室内機１に運転切／入や温度設定等の信号を送信し、室内機１は室外機２と連動して空気調和機としての制御動作を行うと共に所定のタイミングでリモコン４に対して室内温度や室外
温度等の信号を送信する。
【００１６】
以下、図２のフローチャートに従い図１に示すプログラム６の動作を説明する。なお、従来と同一のステップについては、同一符号を付してその詳細な説明は省略する。
【００１７】
マイコン５は、ステップ２０１で運転時間Ｔの積算値が設計上の標準使用期間Ｔ０と所定時間Ｔ１の合計を超えると、ステップ２０２に進んで運転ランプを追加で点滅させる。そして、ステップ２０３で運転時間Ｔの積算値が設計上の標準使用期間Ｔ０と所定時間Ｔ２（ここで、Ｔ２＞Ｔ１）の合計を超えると、ステップ２０４に進み、ステップ２０４で運転時間Ｔの積算値が設計上の標準使用期間Ｔ０と所定時間Ｔ３（ここで、Ｔ４＞Ｔ３＞Ｔ２）の合計を超えるまではステップ２０５に進んでブザーを所定周期Ｔｃ１（例えば、５分）間隔で短時間鳴動させ、Ｔ０とＴ３の合計を超えるとステップ２０６に進んでブザーを所定周期Ｔｃ２（ここで、Ｔｃ２＜Ｔｃ１、例えば、３０秒）間隔で短時間鳴動させる。また、ステップ３０６で運転中でない場合にステップ２０７で運転の開始を検知すると、ステップ２０８でリモコンへ点検時期であることを示すメッセージの表示を指示する信号と運転を禁止するまでの残時間を示すメッセージの表示を指示する信号を送信する。これにより、リモコンの表示部に点検時期であることを示すメッセージ（例えば、「点検時期が来ました」）と運転を禁止するまでの残時間を示すメッセージ（例えば、「使用可能時間  残りｎ時間」）が所定時間表示される。
【００１８】
以上のように、本実施の形態においては、標準使用期間Ｔ０を超えての運転時間が、ステップ２０１、２０３、２０４でそれぞれ所定時間Ｔ１、Ｔ２、Ｔ３に到達すると、ステップ２０２、２０５、２０６でそれぞれ運転ランプを追加で点滅、ブザーを所定周期Ｔｃ１間隔で短時間鳴動、ブザーを所定周期Ｔｃ２間隔で短時間鳴動させることにより、標準使用期間到来後、最終的に運転ができなくなるまでの間に、時間の経過と共に使用者への注意喚起度合いが増加していき、使用者に取扱説明書の確認や、メーカー修理相談窓口・購入店への問い合わせを促すこととなり、使用者に不満の気持ちを抱かせることなく点検時期の到来を確実に理解してもらうことができ、点検または買い替えを強く促すこともできる。
【００１９】
また、本実施の形態では、ステップ２０７で運転開始を検知して、ステップ２０８でリモコンへ点検時期であることを示すメッセージの表示を指示する信号を送信することにより、リモコンの表示部に点検時期であることを示すメッセージが所定時間表示されることとなり、使用者に取扱説明書の確認や、メーカー修理相談窓口・購入店への問い合せをしてもらうことなく点検時期の到来を確実に理解してもらうことができる。
【００２０】
また、本実施の形態では、ステップ２０７で運転開始を検知して、ステップ２０８でリモコンへ運転を禁止するまでの残時間を示すメッセージの表示を指示する信号を送信することにより、リモコンの表示部に運転を禁止するまでの残時間を示すメッセージが所定時間表示されることとなり、使用者に最終的に運転ができなくなるまでの時間を知らせることが可能となり、使用者に不満の気持ちを抱かせることなく点検または買い替えを強く促すことができる。
【００２１】
なお、本実施の形態において、ステップ２０５とステップ２０６におけるブザー鳴動周期は一例であり、本発明を限定するものではない。また、リモコンの表示部に所定時間表示されるメッセージも一例であり、本発明を限定するものではない。
【産業上の利用可能性】
【００２２】
以上のように、本発明にかかる空気調和機の制御装置は、使用者に不満の気持ちを抱かせることなく点検時期の到来を確実に理解してもらうことが可能となり、点検または買い
替えを強く促すことも可能となるので、他の家庭用電気機器にも適用できる。
【符号の説明】
【００２３】
１０  運転ランプ
１１  ブザー
【図１】
2012242034.tif 000003
【図２】
2012242034.tif 000004